(57)【要約】【課題】  本発明は、レーキがバンカー周辺に放置されているがための不都合、不満を解消することにある。【解決手段】  長方形状のプレートの一方の長手端面に砂掻き用の刃５ａを間隔を空けて多数連続して設けると共に、前記したプレートの他方の長手端面に砂掻き用の刃５ｂを間隔を詰めて多数連続して設けたレーキ本体２の中央面に、柄桿３の先端をレーキ本体２の長手方向と平行に折畳み自在に枢着組み付けし、レーキ本体２を柄桿に折畳んだ状態でバンカー近傍に開設した穴４に挿入収納することを特徴とするゴルフバンカー用レーキである。【選択図】        図１
2019042216.tif 000002
【特許請求の範囲】
【請求項１】
長方形状のプレートの長手端面に砂掻き用の刃（５）を多数連続して設けたレーキ本体（２）の中央面に、柄桿（３）の先端を前記レーキ本体（２）の長手方向と平行に折畳み自在に枢着組み付けし、前記レーキ本体（２）を柄桿（３）に折畳んだ状態でバンカー近傍に開設した穴（４）に挿入収納することを特徴とするゴルフバンカー用レーキ。
【請求項２】
長方形状のプレートの一方の長手端面に砂掻き用の刃（５ａ）を間隔を空けて多数連続して設けると共に、前記プレートの他方の長手端面に砂掻き用の刃（５ｂ）を間隔を詰めて多数連続して設けたレーキ本体（２）の中央面に、柄桿（３）の先端を前記レーキ本体（２）の長手方向と平行に折畳み自在に枢着組み付けし、前記レーキ本体（２）を柄桿に折畳んだ状態でバンカー近傍に開設した穴（４）に挿入収納することを特徴とするゴルフバンカー用レーキ。
【発明の詳細な説明】
【技術分野】
【０００１】
本発明は、ゴルフ場に設けられているバンカーの砂地を均すためのレーキに関する。
【背景技術】
【０００２】
ゴルフ場では、ゴルフ競技の趣向性を高めるため各種のハザードが設けられており、ゴルフ場設計者は池やクリーク等と共にグリーン周りやフェアウエー各所に砂地のバンカーを多数配置し、ゴルフ競技者はその腕が試される個所となっている。
【０００３】
このバンカーの砂地は、通常の砂であったり貝殻を細かく砕いたりしたものであったりするが、このバンカーにボールを打ち込んでしまうと、バンカー内にはそこからボールを脱出するためのプレイで競技者の足跡やボールへの打ち込み跡が砂地に残ってしまい、後続の競技者のためにもこの足跡等は均しておく必要がある。
【０００４】
バンカーの砂地を均す用具として、バンカーの周辺にはレーキが置かれている。レーキの最も原始的な形状は長方形状のプレートに柄桿を一体組み付けした構成で、柄桿を把持してプレートを押し引きし、砂地を均す。このプレートの操作により砂地は平らに均されるが、砂をバンカーの縁に押し込んだり引き込んだりすることにもなるので、均した後に段差が形成されてしまったり極端な場合は砂地が削られて砂地の固い面或いは土面が露出してしまう不都合があった。また、操作の際に砂を多量に動かすことになるので力加減が難しく、作業しにくいものでもあった。
【０００５】
そこでこの点に関し、プレートの端面に砂掻き用の刃を多数設けたゴルフバンカー用レーキの構成が以下のような先行技術として開示されている。
【先行技術文献】
【特許文献】
【０００６】
【特許文献１】登録実用新案第３０１９８８６号公報
【特許文献２】登録実用新案第３１０４１７２号公報
【発明の概要】
【発明が解決しようとする課題】
【０００７】
これ等の考案は、連続する多数の刃で砂を掻くので或る程度の均し効果は期待できるものであった。しかしながら、例えば特許文献１の図面で開示されているような砂逃がし用切欠き部（上記でいう刃）の間隔が大きいと、均した際に砂地に太い溝と太い山が形成されてしまい、バンカーに転げ落ちたボールがこの溝なり山なりにかかってしまうと甚だ打ちにくいものになってしまう。
【０００８】
この点、特許文献２の図面に開示されたような刃が針状突起の構成であれば、砂地を均したことによる溝や山は細いものになるので、上記したような支障が生じることは回避できよう。処が、レーキの使用後にこの刃を上に向けた状態でバンカー周辺近傍に放置しておくと、それに気付かなかった競技者が刃を踏んで怪我したり、或いは後続の競技者の打球が直接刃の部分に落下して刺さったりといった事故があることが報告されている。
【０００９】
そもそも、バンカー近傍にレーキが放置されているとプレイに様々な影響が生じることも経験する。例えば、打球がレーキに衝突して止まった場合、レーキは動かせる障害物であるからレーキを動かしてボールを元の位置にリプレイスしてプレイを再開することはできる。しかしながらその位置にレーキがなければ打球は好条件の位置まで転がったかもしれず、逆にバンカーに転げ落ちるといった悪い事態にならないで済んだかもしれない。即ち、レーキが存在したがためにその後のプレイ状況が運によって大きく左右されることがあるのである。打球がレーキに衝突して大きく跳ね返り、競技者にとって危険なことすらある。
【００１０】
よって本発明は、レーキがバンカー周辺に放置されているがための上述した問題の不都合、不満を解消するべく発明されたものであって、ゴルフバンカー用レーキを地中に収納できるようにすることにある。
【課題を解決するための手段】
【００１１】
上記課題を解決するため、本発明のゴルフバンカー用レーキは、長方形状のプレートの長手端面に砂掻き用の刃を多数連続して設けたレーキ本体の中央面に、柄桿の先端を前記したレーキ本体の長手方向と平行に折畳み自在に枢着組み付けし、レーキ本体を柄桿に折畳んだ状態でバンカー近傍に開設した穴に挿入収納することを特徴とする構成である。
【００１２】
また、長方形状のプレートの一方の長手端面に砂掻き用の刃を間隔を空けて多数連続して設けると共に、前記したプレートの他方の長手端面に砂掻き用の刃を間隔を詰めて多数連続して設けたレーキ本体の中央面に、柄桿の先端をレーキ本体の長手方向と平行に折畳み自在に枢着組み付けし、レーキ本体を柄桿に折畳んだ状態でバンカー近傍に開設した穴に挿入収納することを特徴とする構成である。
【発明の効果】
【００１３】
従って本発明のゴルフバンカー用レーキでは、柄桿の先端をレーキ本体の長手方向と平行に折畳み自在に枢着組み付けしたので、レーキ本体を柄桿に折畳むことにより全体をほぼ直線状にすることができ、不使用時にはバンカー近傍に開設した穴に挿入収納することが可能となり、バンカー周辺近傍でレーキが露出した状態で放置されることはなくなり、打球がレーキに衝突することによる競技上の運不運や、予想外の方向に跳ね返ることによる競技者の怪我、更には競技者の不注意による踏み付けによる怪我等の事故が解消されるのである。
【００１４】
また、長方形状のプレートに設けられる砂掻き用の刃は、プレートの一方の長手端面では間隔を空けて多数連続した粗目、プレートの他方の長手端面では間隔を詰めて多数連続した細目となっているので、例えばバンカー内の砂地の足跡が深い場合は先ず粗目の刃で砂を掻き起こし、次いで細目の刃でなぞればきめ細かく整地されて均すことができる。ここでは砂掻き用の刃はプレートの両長手端面に設けてあるので、そのままバンカー近傍に放置すれば刃が上向きとなって危険であるが、不使用時にはバンカー近傍の穴に挿入収納するので安全である等、本発明は多くの優れた作用効果を奏する。
【図面の簡単な説明】
【００１５】
【図１】本発明にかかるゴルフバンカー用レーキの斜視図である。
【図２】レーキ本体と柄桿との枢着部分を示す拡大斜視図で、（ａ）は使用時、（ｂ）は折り畳み時を示す。
【図３】本発明にかかるゴルフバンカー用レーキを埋設した状態の断面図である。
【図４】図３とは９０度の角度を変えて見た断面図である。
【発明を実施するための形態】
【００１６】
本発明のゴルフバンカー用レーキ１は、長方形状のレーキ本体２の中央面に、柄桿３の先端をレーキ本体２の長手方向と平行に折畳み自在に枢着組み付けした構成で、レーキ本体２を柄桿３に折畳んだ状態でバンカー近傍に開設した穴４に挿入収納する。レーキ本体２は長方形状のプレートの長手端面に砂掻き用の刃５を多数連続して設けた構成である。
【実施例】
【００１７】
柄桿３はアルミニューム等の軽量金属で成形され、基端部にグリップ6を設けた円筒形状の鞘管７の先端から挿入管８を差し込み、挿入管８を伸縮自在なものとする。この場合、地均し作業で鞘管７から挿入管８を伸長した状態での形態を維持することができるように、鞘管７先端と挿入管８基端との間に適宜のストッパーを設けるとよい（図示省略）。また、挿入管８の先端は押し潰されて扁平な連結片９となっている。
【００１８】
レーキ本体２もまた軽量金属で成形されており、長方形状のプレートの一方の長手端面では砂掻き用の刃５を間隔を空けて多数設けた粗目５ａ、プレートの他方の長手端面では間隔を詰めて多数設けた細目５ｂとする。
【００１９】
レーキ本体２の長方形状のプレートの中央面には一対のブレード１０がプレートの短手辺に沿って平行に設けられており、この一対のブレード１０間に前記した挿入管８先端の扁平な連結片９を挿入し、軸ピン１１を介して枢着組み付けすることになる。従ってこの軸ピン１１部分で回動させれば、柄桿３はレーキ本体２の長手方向と平行に折畳んだ状態となる。尚、地均し作業で柄桿３がレーキ本体２に直角に連接できるように一対のブレード１０間と連結片９との間に適宜のストッパーを設けるとよい（図示省略）。
【００２０】
レーキ本体２を柄桿３に折畳んだ直線状態で挿入収納するバンカー近傍に開設した穴４は、地中１２に収納筒１３を埋設することにより形成する。収納筒１３底部には水抜き孔を設けるとよい（図示省略）。符号１４は芝生である。
【符号の説明】
【００２１】
１  ゴルフバンカー用レーキ
２  レーキ本体
３  柄桿
４  穴
５  砂掻き用の刃
５ａ  粗目
５ｂ  細目
６  グリップ
７  鞘管
８  挿入管
９  連結片
１０  ブレード
１１  軸ピン
１２  地中
１３  収納筒
１４  芝生
【図１】
2019042216.tif 000003
【図２】
2019042216.tif 000004
【図３】
2019042216.tif 000005
【図４】
2019042216.tif 000006